(57)【要約】【課題】風防機能に優れ、携帯時の収納及び使用時の組み立てが容易な風防を備えたクッカーを提供することにある。【解決手段】飲食物を加熱するための容器（２）の下方に配置され、燃料を燃焼することによって前記容器を加熱するコンロ（３）と、前記コンロの側周囲を囲う筒状の風防（５）とを含むクッカー（１）であって、前記風防は、可撓性を有する少なくとも２枚の帯状の風防部材（５１Ａ，５１Ｂ）を含み、クッカー使用時において帯状の風防部材の両端部を係止して筒状とし、さらに上下に積み重ねて組み立てられる構成とする。【選択図】図１
0003213652.tif 000002
【実用新案登録請求の範囲】
【請求項１】
飲食物を加熱するための容器の下方に配置され、燃料を燃焼することによって前記容器を加熱するコンロと、前記コンロの側周囲を囲う筒状の風防とを含むクッカーであって、
前記風防は、可撓性を有する少なくとも２枚の帯状の風防部材を含み、クッカー使用時において帯状の風防部材の両端部を係止して筒状とし、さらに上下に積み重ねて組み立てられることを特徴とするクッカー。
【請求項２】
前記帯状の風防部材の高さは、個々の高さは前記容器の深さよりも低く、且つ、上下に積み重ねたときに前記コンロよりも高くなるように設定されていることを特徴とする請求項１に記載のクッカー。
【請求項３】
前記帯状の風防部材は、クッカー未使用時には丸めて前記容器内に収納されることを特徴とする請求項１又は２に記載のクッカー。
【考案の詳細な説明】
【技術分野】
【０００１】
本考案は、携帯用のクッカーであって、例えば登山やキャンプ等のアウトドア・アクティビティで好適に使用されるクッカーに関する。
【背景技術】
【０００２】
例えば登山やキャンプ等のアウトドア・アクティビティでは、例えば水や食料などの飲食物を加熱することのできるクッカーが携帯される。クッカーは、飲食物を入れる鍋やカップなどの容器、燃料を燃焼させるコンロ、容器を支持するスタンドであるゴトク、コンロの火を安定させるための風防などを備えている。
【０００３】
クッカーは、未使用時の収納性及び携帯性をよくするために、コンロ，ゴトク及び風防を容器内に収納可能なように設計される（例えば、特許文献１参照）。この場合、コンロ，ゴトク及び風防は、容器よりも小さくなければならない。しかしながら、収納性を重視するあまり高さのない風防としたのでは、風防の上部と容器との間に大きな隙間が生じ、風防としての機能が十分に得られない場合がある。さらに、風防の上部と容器との間の隙間が大きいと熱が放散して加熱効率が悪くなってしまうことがある。また、特許文献１のような屏風式の風防は、設置が難しい上、風が強いと転倒してしまう懸念がある。
【先行技術文献】
【特許文献】
【０００４】
【特許文献１】特開２０１６−２１４５５５号公報
【考案の概要】
【考案が解決しようとする課題】
【０００５】
本考案は、上述した問題点を解決するためになされたものであり、その目的は、風防機能に優れ、携帯時の収納及び使用時の組み立てが容易な風防を備えたクッカーを提供することにある。
【課題を解決するための手段】
【０００６】
すなわち、本考案の要旨は以下の通りである。
（１）本考案のクッカーは、飲食物を加熱するための容器の下方に配置され、燃料を燃焼することによって前記容器を加熱するコンロと、前記コンロの側周囲を囲う筒状の風防とを含むクッカーであって、前記風防は、可撓性を有する少なくとも２枚の帯状の風防部材を含み、クッカー使用時において前記帯状の風防部材の両端部を係止して筒状とし、さらに上下に積み重ねて組み立てられることを特徴とする。
（２）前記帯状の風防部材の高さは、個々の高さは前記容器の深さよりも低く、且つ、上下に積み重ねたときに前記コンロよりも高くなるように設定されている。
（３）前記帯状の風防部材は、クッカー未使用時には丸めて前記容器内に収納される。
【考案の効果】
【０００７】
本考案のクッカーによれば、可撓性を有する少なくとも２枚の帯状の風防部材を含み、クッカー使用時において帯状の風防部材の両端部を係止して筒状とし、さらに上下に積み重ねて組み立てられる風防を備えたことにより、高さのある風防でコンロを囲うことができる。その結果、風防としての機能が十分に発揮される。
【０００８】
さらに、前記風防は、分解すれば２枚の帯状部材になるので未使用時の収納が容易であり、且つ、使用時には両端部を係止して上下に積み重ねるだけなので組み立てが容易である。特に帯状の風防部材の高さに関して、個々の高さは容器の深さよりも低く、且つ、上下に積み重ねたときにコンロよりも高くなるように設定すれば、未使用時に丸めて容器内に収納できるので携帯性にも優れる。
【図面の簡単な説明】
【０００９】
【図１】本考案の一実施形態に従うクッカーの各構成要素の展開図である。
【図２】上記クッカーの風防を示す平面図である。
【図３】上記クッカーの使用時の状態を示す図である。
【図４】上記クッカーの未使用時の状態を示す図である。
【考案を実施するための形態】
【００１０】
本考案の好ましい実施形態に従うクッカーについて、添付図面を参照しながら詳しく説明する。但し、以下に説明する実施形態によって本考案の技術的範囲は何ら限定されることはない。
【００１１】
図１は、本考案の一実施形態に従うクッカー１の各構成要素の展開図である。図１に示すように、クッカー１は、飲食物を入れて加熱するための容器２、燃料を燃焼するコンロ３、容器２を支持するスタンドであるゴトク４、コンロ３の側周囲を囲う風防５を備えている。
【００１２】
容器２の好ましい一例として、図１には鍋状の容器２を示している。勿論、飲食物を入れて加熱することができる容器であれば形状が限定されることはない。飲食物は、液体状及び固体状のいずれであってもよい。例えば、水や保存食品などである。容器２の本体部分は、例えばチタンやステンレスなどの金属で形成されている。容器２の側面には、使用者が容器を持つ際に使用される取っ手２１が設けられている。取っ手２１は、回動自在な軸２２（図４参照）によって容器２に取り付けられており、未使用時に畳むことができるようになっている。容器２は、さらに蓋を有していてもよい。容器２のサイズは、一例として、径９．５ｃｍ、深さ５．８〜９．５ｃｍの範囲内に設定することができる。また、図１には一つの容器２を図示しているが、サイズの異なる複数の容器を備えていてもよい。この場合、小サイズの容器を大サイズの容器内に収納可能な設計とするのが好ましい。
【００１３】
コンロ３の好ましい一例として、図１にはアルコールストーブを示している。アルコールストーブは、内部にアルコールを貯留することのできる容器状に形成されており、図示は省略するが円筒壁によって中央の主室と周縁の副室に内部空間が区画されている。アルコールストーブの上部側中央には、主室と連通し、アルコールの充填および着火に用いる開口部３１が形成されている。さらに上部側周縁部には、副室と連通し、本燃焼時に炎がでるジェット孔３２が複数形成されている。
【００１４】
アルコールストーブの本体部分は、例えばチタンやステンレスなどの金属で形成されている。本体部分のサイズは、一例として、径７．１ｃｍ、高さ４．２ｃｍに設定することができる。勿論、アルコールストーブは、コンロ３の好ましい一例であって、限定するものではない。コンロ３の他の例として、固形燃料を燃焼して加熱するコンロ、ガス等の気体燃料を燃焼して加熱するコンロを用いてもよい。
【００１５】
さらに、アルコールストーブの上部側は上下２段の階段状に形成されており、下段の平面部分がゴトク４を載置する載置面３３となっている。ゴトク４は、側面視が概ね「コの字」となっている２枚の板状部材４１Ａ，４１Ｂからなる。２枚の板状部材４１Ａ，４１Ｂの中央部には互いに対向する切欠き４２が形成されており、切欠き４２同士を係合することによって十字状のゴトク４が組み立てられる。容器２は、組み立てられたゴトク４によって支持される。２枚の板状部材４１Ａ，４１Ｂには、通気及び軽量化のための複数の三角形状の開口部４３が形成されている。ゴトク４の２枚の板状部材４１Ａ，４１Ｂは、例えばチタンやステンレスなどの金属で形成されている。各板状部材４１Ａ，４１Ｂのサイズは、一例として、長さ９．６ｃｍ、高さ２．８ｃｍに設定することができる。
【００１６】
コンロ３の側周囲を囲う風防５は、詳しくは図２に示すように、２枚の帯状の部材（風防部材）５１Ａ，５１Ｂによって形成されている。２枚の風防部材５１Ａ，５１Ｂは、使用者が手で筒状になるまで湾曲させることができる可撓性を有する材料で形成されている。材料の一例は、チタンやステンレスなどの金属であり、数ミリの薄板状のものを用いることで可撓性を有し、且つ、折れ曲がり等の不可逆の変形が生じるのを防いでいる。
【００１７】
各風防部材５１Ａ，５１Ｂには、長さ方向の一端側に台形状の爪部（台形状の切れ目）５２が形成されており、反対の他端側に爪部５２を引っ掛けるための係止部（縦方向に延びる細長の開口部）５３が形成されている。すなわち、風防部材５１Ａ，５１Ｂを筒状になるまで湾曲させて爪部５２を係止部５３に引っ掛けると、湾曲状態から元の状態に戻ろうとする復元力と相まって係止状態が保持されることになる（図１参照）。爪部５２は複数形成することができ、この場合、容器２のサイズに応じて使用する爪部５２を選択することができる。
【００１８】
各風防部材５１Ａ，５１Ｂには、互いに対向する位置に、縦方向に延びる細長の切欠き５４が複数形成されている。各風防部材５１Ａ，５１Ｂは、爪部５２を係止部５３に引っ掛けて筒状に形成した後、切欠き５４同士を係合させることによって上下２段に積み重ねた状態が保持されることになる（図１参照）。さらに上段の風防部材５１Ａには、容器２の取っ手２１が当たらないようにするための切欠き５５が形成されており、下段の風防部材５１Ｂには、一例として三角形状の吸気口５６が複数形成されている。
【００１９】
各風防部材５１Ａ，５１Ｂのサイズは、例えば長さ４０ｃｍ、高さ５ｃｍに設定することができる。切欠き５４の長さは、例えば０．５ｃｍに設定することができる。この場合、組み立て後の風防５のサイズは、直径約１２ｃｍ、高さ９ｃｍとなり、図３に示すように、容器２の底面側側面まで囲うことができる。すなわち、各風防部材５１Ａ，５１Ｂの高さは、容器２の深さよりも低く、且つ、上下に積み重ねたときにコンロ３であるアルコールストーブよりも高くなるように設定されている。
【００２０】
図３は、クッカー１の使用時の状態を示す。クッカー１を使用する際、各風防部材５１Ａ，５１Ｂを筒状にして上下に積み重ねることによって風防５を組み立て、アルコールストーブにアルコールを充填して着火する。一方で、ゴトク４を組み立ててアルコールストーブの載置面３３に載置し、さらに飲食物として例えば水Ｗを入れた容器２をゴトク４の上に載置する。上記したように、組み立て後の風防５は高さがあり、容器２の側面まで囲っている。
【００２１】
図４は、クッカー１の未使用時（携帯時）の状態を示す。未使用時においては、分解した風防部材５１Ａ，５１Ｂは丸められて容器２内に収納される。金属で形成した場合、復元力があるので容器２の内周壁に貼り付くようにして保持される。同様に、ゴトク４も分解されて容器２内に収納される。コンロ３であるアルコールストーブも同様である。上下に積み重ねて形成される風防５の場合、個々の風防部材５１Ａ，５１Ｂ自体の高さは低いので、容器２からはみ出すことなく収容される。
【００２２】
以上説明した本実施形態のクッカー１によれば、組み立て後の風防５は高さがあり、容器２の底面側の側面まで囲っているので、風防機能が優れており、且つ、加熱効率に優れている。また、爪部５２や切欠き５４を利用して筒状の状態を保持できるので、転倒等が抑えられる。なお、風防５は、上下２段に限らず、３段以上としてもよい。さらに、風防部材５１Ａ，５１Ｂ同士の高さを変えるようにしてもよい。
【００２３】
さらに、風防５は、湾曲させて筒状にして積み重ねるだけでの作業で容易に組み立てることができる。勿論、手順が反対の分解作業も容易である。そして、分解して丸めれば容器２内に収納できるので携帯性・収納性にも優れている。
【００２４】
以上、本考案の具体的な実施形態に関して説明したが、本考案の範囲を逸脱しない限り様々な変形が可能であることは、当該技術分野における通常の知識を有する者にとって自明なことである。従って、本考案の技術的範囲は、上述した実施形態に限定されるものではなく、実用新案登録請求の範囲及びこれと均等なものに基づいて定められるべきである。
【符号の説明】
【００２５】
１  クッカー
２  容器
３  コンロ
４  ゴトク
５  風防
５１Ａ，５１Ｂ  風防部材
【図１】
0003213652.tif 000003
【図２】
0003213652.tif 000004
【図３】
0003213652.tif 000005
【図４】
0003213652.tif 000006